(57)【要約】【課題】  電源の出力電圧が低下したとしても、電子機器のシャットダウン処理を実行した上で電子機器をオフモードに移行し、そして、電源の出力電圧が回復したら自動的に電子機器を起動することができる。【解決手段】  電子機器は、電子機器がオフモードのときでも待機電力を出力する待機電源３００と、待機電源の出力電圧に対応する信号３２０を出力する電圧監視部３０１と、電圧監視部３０１から出力された信号３２０に基づいて、電子機器のシャットダウン処理を実行するようＣＰＵ２００に指示し、少なくともＣＰＵ２００への電力が停止されるオフモードに電子機器を移行する電力制御部２０２と、を備える。そして、電圧監視部３０１は、待機電源の出力電圧１１０に基づいて、少なくともＣＰＵ２００への電力の供給を再開する。【選択図】  図３
2020177302.tif 000002
【特許請求の範囲】
【請求項１】
電子機器であって、
前記電子機器がオフモードのときでも待機電力を出力する待機電源と、
前記待機電源の出力電圧に対応する信号を出力する電圧監視手段と、
前記電圧監視手段から出力された信号に基づいて、前記電子機器のシャットダウン処理を実行するよう制御手段に指示し、少なくとも前記制御手段への電力が停止される前記オフモードに前記電子機器を移行する電力制御手段と、を備え、
前記電圧監視手段は、前記待機電源の出力電圧に基づいて、少なくとも前記制御手段への電力の供給を再開する、ことを特徴とする電子機器。
【請求項２】
前記電圧監視手段は、前記待機電源の出力電圧が閾値電圧を超え且つ所定の遅延時間が経過したときに、少なくとも前記制御手段への電力の供給を再開する、ことを特徴とする請求項１に記載の電子機器。
【請求項３】
電源スイッチをさらに備え、
前記電力制御手段は、前記電源スイッチに対するユーザ操作に基づいて、前記電子機器のシャットダウン処理を実行するよう前記制御手段に指示し、少なくとも前記制御手段への電力が停止される前記オフモードに前記電子機器を移行する、ことを特徴とする請求項１又は２に記載の電子機器。
【請求項４】
前記電圧監視手段は、前記電源スイッチの操作なしで、前記待機電源の出力電圧に基づいて、少なくとも前記制御手段への電力の供給を再開する、ことを特徴とする請求項３に記載の電子機器。
【請求項５】
前記電源スイッチからの信号及び前記電圧監視手段からの信号が入力され、所定の信号を前記電力制御手段に出力する信号出力手段をさらに備え、
前記電力制御手段は、前記信号出力手段からの前記所定の信号に従って、前記電子機器のシャットダウン処理を実行するよう制御手段に指示し、少なくとも前記制御手段への電力が停止される前記オフモードに前記電子機器を移行する、ことを特徴とする請求項１乃至４の何れか１項に記載の電子機器。
【請求項６】
前記電力制御手段は、前記電源スイッチからの信号及び前記電圧監視手段からの信号を受信し、受信した信号に基づいて、前記電子機器のシャットダウン処理を実行するよう前記制御手段に指示し、少なくとも前記制御手段への電力が停止される前記オフモードに前記電子機器を移行する、ことを特徴とする請求項１乃至４の何れか１項に記載の電子機器。
【請求項７】
ストレージをさらに備え、
前記シャットダウン処理は、前記ストレージへのデータの書き込み処理を完了させる処理を含む、ことを特徴とする請求項１乃至６の何れか１項に記載の電子機器。
【請求項８】
前記ストレージは、ハードディスクまたはＳＳＤである、ことを特徴とする請求項７に記載の電子機器。
【請求項９】
前記待機電源とは異なる他の電源をさらに備え、
前記オフモードでは、前記他の電源は、電力を出力しない、ことを特徴とする請求項１乃至３の何れか１項に記載の電子機器。
【請求項１０】
前記待機電源は、プラグを介して交流電圧の供給を受けている間は、電力の出力を停止しない、ことを特徴とする請求項１乃至９の何れか１項に記載の電子機器。
【請求項１１】
記録媒体に画像を印刷する印刷手段をさらに備える、ことを特徴とする請求項１乃至１０の何れか１項に記載の電子機器。
【請求項１２】
原稿の画像を読み取る読取手段をさらに備える、ことを特徴とする請求項１乃至１１の何れか１項に記載の電子機器。
【請求項１３】
前記電子機器がオフモードのときでも待機電力を出力する待機電源を備える電子機器の制御方法であって、
前記待機電源の出力電圧を監視するステップと、
前記出力電圧に基づいて、前記電子機器のシャットダウン処理を実行するステップと、
少なくとも前記シャットダウン処理を実行する制御手段への電力を停止するステップと、
前記待機電源の出力電圧に基づいて、少なくとも前記制御手段への電力の供給を再開するステップと、を有することを特徴とする電子機器の制御方法。
【発明の詳細な説明】
【技術分野】
【０００１】
本発明は、電源の出力電圧に基づいてシャットダウン処理を実行する電子機器、および、その制御方法に関する。
【背景技術】
【０００２】
従来、プリンタ、ファクシミリ装置、複写機等の画像処理装置では、電源が出力する電力が画像処理装置の各負荷に供給されている。電源は、ＣＰＵやメモリ等に供給される比較的低い電圧、プリンタ部やＦＡＸ部等の比較的高い電圧等を出力する。
【０００３】
このように動作電圧の異なるデバイスが混在している場合、短時間でのＳＷのＯＦＦ／オンや瞬断等により電源が出力する電圧が低下すると、比較的高い電圧で動作するプリンタ部やＦＡＸ部は動作できない。が、比較的低い電圧で動作可能なＣＰＵやメモリ等のみが動作できる状況になる。
【０００４】
特許文献１には、電源瞬断の検出時に、ハードディスクの破壊を防止するためにハードディスクを安全に終了する技術が開示されている。
【先行技術文献】
【特許文献】
【０００５】
【特許文献１】特開２００９−７６１５５号公報
【発明の概要】
【発明が解決しようとする課題】
【０００６】
電源の出力電圧が低下したとしても、出力電圧が正常範囲に回復する場合もある。特許文献１では、電源の出力電圧が回復しても、ユーザが電源スイッチを操作しないと、画像形成装置は起動しない。
【０００７】
そこで、本発明は、上記の課題を解決するためになされたもので、本発明の目的は、電源の出力電圧が低下したとしても、電子機器のシャットダウン処理を実行した上で電子機器をオフモードに移行する。さらに、電源の出力電圧が回復したら自動的に電子機器を起動することである。
【課題を解決するための手段】
【０００８】
上記の目的を達成するために、本発明の電子機器は、電子機器がオフモードのときでも待機電力を出力する待機電源と、待機電源の出力電圧に対応する信号を出力する電圧監視手段と、電圧監視手段から出力された信号に基づいて、電子機器のシャットダウン処理を実行するよう制御手段に指示し、少なくとも制御手段への電力が停止されるオフモードに電子機器を移行する電力制御手段と、を備え、電圧監視手段は、待機電源の出力電圧に基づいて、少なくとも制御手段への電力の供給を再開する。
【発明の効果】
【０００９】
本発明によれば、電源の出力電圧が低下したとしても、電子機器のシャットダウン処理を実行した上で電子機器をオフモードに移行し、そして、電源の出力電圧が回復したら自動的に電子機器を起動することができる。
【図面の簡単な説明】
【００１０】
【図１】実施例１の画像形成装置の概略を示すブロック図
【図２】実施例１のコントローラ部の詳細を示すブロック図
【図３】実施例１の画像形成装置の電源系統を説明するブロック図
【図４】実施例１の電源スイッチ１０５をオンしたときのタイミングチャート
【図５】実施例１の電源スイッチ１０５をオフしたときのタイミングチャート
【図６】待機電源３００の出力電圧が低下し、その後、出力電圧が回復したときのタイミングチャート
【図７】実施例２の画像形成装置の電源系統を説明するブロック図
【発明を実施するための形態】
【００１１】
本発明を実施するための形態について図面を用いて説明する。ここでは、電子機器の一例として、プリント機能やスキャン機能を有する画像形成装置を例に説明する。画像形成装置１００は、通常電力モード、スリープモード、パワーオフモードに移行可能である。通常電力モードは、ＡＣＰＩのＳ０状態であり、スリープモードは、ＡＣＰＩのＳ３状態であり、パワーオフモードは、ＡＣＰＩのＳ５状態である。なお、画像形成装置１００は、ＡＣＰＩのＳ４状態であるハイバネーション状態に移行しても良い。
【００１２】
［実施例１］
＜画像形成装置の全体構成＞
図１は、実施例１の画像形成装置の概略図である。画像形成装置１は、電源部１０１、コントローラ部１０２、プリンタ部１０３、および、スキャナ部１０４を備えている。また、画像形成装置１は、電源スイッチ１０５、スイッチ１０６、スイッチ１０７、および、ＡＣプラグ１００を備えている。電源スイッチ１０５は、メカニカルなリレースイッチであって、ユーザ操作によってオンまたはオフになる。この電源スイッチ１０５は、画像形成装置１の主電源スイッチである。スキャナ部１０４は、原稿の画像を光学的に読み取り、読み取った画像のデータをデジタル画像データに変換する。プリンタ部１０３は、電子写真方式に従ってシート状の記録媒体（用紙）へ画像を形成する。なお、プリンタ部１０３は、シート状の記録媒体に画像を形成することができるものであれば、その記録方式は電子写真方式に限定されるものではない。具体的には、プリンタ部１０３の記録方式は、インクジェット方式や熱転写方式であっても良い。コントローラ部１０２は、画像形成装置１の全体を制御する。コントローラ部１０２は、プリンタ部１０３及びスキャナ部１０４を制御する。例えば、コントローラ部１０２は、ユーザからのコピー指示に従い、スキャナ部１０４が原稿の画像を読み取るように制御する。コントローラ部１０２は、スキャナ部１０４が出力するデジタル画像データを受け取り、所定の画像処理を実行し、当該画像処理後のデジタル画像データをプリンタ部１０３に出力する。そして、コントローラ部１０２は、プリンタ部１０３が記録媒体に画像を形成するように制御する。電源部１０１は、装置外部のコンセントに差し込まれたＡＣプラグ１００から交流の電力を受け付け、直流の電力を生成する。電源部１０１は、コントローラ部１０２、プリンタ部１０３、および、スキャナ部１０４に所定の電力を供給する。電源部１０１は、１２Ｖの直流電圧、および、２４Ｖの直流電圧を生成する。なお、電源部１０１が生成する電圧は、１２Ｖや２４Ｖに限定されるものではない。例えば、電源部１０１は、５Ｖおよび２４Ｖを生成しても良い。また、電源部１０１は、コントローラ部１０２から出力される起動信号１１３に基づいて電源部１０１内の動作状態を変更する。スイッチ１０６は、コントローラ部１０２から出力されるプリンタ部電源制御信号１１４に従って、オフまたはオンになる。これにより、プリンタ部１０３への電力が停止／プリンタ部１０３に電力が供給される。スイッチ１０７は、コントローラ部１０２から出力されるスキャナ部電源制御信号１１５に従って、オフまたはオンになる。これにより、スキャナ部１０４への電力が停止／スキャナ部１０４に電力が供給される。
【００１３】
＜コントローラ部の構成＞
図２は、実施例１のコントローラ部の詳細を示すブロック図である。
【００１４】
コントローラ部１０２は、ＣＰＵ（Ｃｅｎｔｒａｌ  Ｐｒｏｃｅｓｓｉｎｇ  Ｕｎｉｔ）２００、画像処理プロセッサ２０１、電力制御部２０２、操作部２０３、および、ＲＡＭ（Ｒａｎｄｏｍ  ａｃｃｅｓｓ  ｍｅｍｏｒｙ）２０７を備える。また、コントローラ部１０２は、ＲＯＭ（Ｒｅａｄ  ｏｎｌｙ  Ｍｅｍｏｒｙ）２０８、ＨＤＤ（Ｈａｒｄ  Ｄｉｓｋ  Ｄｒｉｖｅ）２０６、オプション部２０５、および、ネットワーク制御部２０７を有する。ＣＰＵ２００は、コントローラ部１０２の各部と通信可能に接続されている。ＣＰＵ２００は、ＣＰＵ２００の周辺の装置や回路の制御やデータの演算などを行う。例えば、ＣＰＵ２００は、ネットワーク制御部２０７が外部装置から受信した画像データ（例えば、ＰＤＬデータ）を解読し、ビットマップデータを生成する。
【００１５】
ネットワーク制御部２０７は、ＬＡＮ（Ｌｏｃａｌ  Ａｒｅａ  Ｎｅｔｗｏｒｋ）を介して外部装置と通信する。ネットワーク制御部２０７は、ＬＡＮを介して外部装置から画像データ（例えば、ＰＤＬデータ）を受信する。また、ネットワーク制御部２０７は、画像形成装置１に格納された画像データ、画像形成装置１に設定された設定情報、画像形成装置１のデバイス情報、画像形成装置１で使用される消耗品に関する消耗品情報等を送信する。
【００１６】
画像処理部２０１は、ＣＰＵ２００が生成したビットマップデータに対して、スクリーン処理などの画像処理を行う。これにより、印刷用データが生成される。
【００１７】
電力制御部２０２は、ＣＰＬＤ（Ｐｒｏｇｒａｍｍａｂｌｅ  Ｌｏｇｉｃ  Ｄｅｖｉｃｅ）等で構成される。電力制御部２０２は、画像形成装置１の各部への電力の供給と停止とを制御する。実施例１の電力制御部２０２は、ＣＰＬＤで構成したが、電力制御部２０２をＣＰＵやメモリにより構成して、このＣＰＵがプログラムを実行することによって、画像形成装置１の各部への電力の供給と停止とを制御しても良い。
【００１８】
操作部２０３は、ユーザが各種の操作を入力するための入力部、及び、各種の情報を表示する表示部を備える。入力部は、ハードキーやタッチセンサである。
【００１９】
ＣＰＵ２００は、ＲＯＭ２０８に記憶されたメインコントローラ１０２用のプログラムをＲＡＭ２０７に展開して実行する。ＲＡＭ２０７は、メインメモリであって、プログラム内の変数や、各ユニットからＤｙｎａｍｉｃ  Ｍｅｍｏｒｙ  Ａｃｃｅｓｓ（以下、ＤＭＡ）で転送されるデータを記憶する。ＨＤＤ２０６は、画像形成装置１が動作するために必要な各種プログラム（例えば、オペレーティングシステム）、データベース、一時保存ファイルを格納する。画像形成装置１のストレージとして、ＨＤＤ２０６を例示したが、ＳＳＤであってもかまわない。
【００２０】
オプション部２０５は、機能拡張用に用意されたインターフェースであり、このインターフェースには、ファックスデータの送受信を行うＦＡＸ装置、スマホなどの携帯端末などと無線通信を行う無線通信部が接続される。
【００２１】
＜電源制御構成ブロックの説明＞
図３は、実施例１の画像形成装置の電源系統を説明するブロック図である。
【００２２】
図３に示すように、待機電源３００は、ＡＣプラグ１００を介して外部電源と接続される。待機電源３００は、ＡＣプラグ１００が外部電源と接続されている間は、電力（待機電力）を出力する。画像形成装置１がオフモードであっても、ＡＣプラグ１００が外部電源に接続されていれば、電力を出力する。待機電源３００は、外部電源から受けた交流電圧をＡＣ−ＤＣ変換し、１２Ｖの直流電圧を生成する。待機電源３００が出力した直流電圧は、待機電源３００に接続されている各ユニット（ＣＰＵ２００、ＲＡＭ２０７部、ＲＯＭ２０８、ＨＤＤ２０６、ネットワーク制御部２０７、画像処理部２０１、操作部２０３、オプション部２０５）に供給される。言うまでもないが、待機電源３００が生成した１２Ｖの直流電圧は、不図示のＤＣＤＣコンバータ等により、各ユニットに適した電圧（例えば、５Ｖ，３．３Ｖ，１．０Ｖ）に変換される。
【００２３】
電源スイッチ１０５は、ＡＣプラグ１００が接続された状態でユーザによりオンされると、スイッチオン状態（ハイレベル）を示すスイッチ信号１１２を出力する。また、電源スイッチ１０５は、ＡＣプラグ１００が接続された状態でユーザによりオフされるとスイッチオフ状態（ローレベル）を示すスイッチ信号１１２を出力する。スイッチ信号１１２のレベルは、電源スイッチ１０５の状態に対応している。
【００２４】
電圧監視部３０１は、待機電源３００の出力電圧を監視する。電圧監視部３０１には、待機電力３００の出力電圧が供給される。この電圧監視部３０１は、一般的な電源監視ＩＣであって、外付けのコンデンサで上記した遅延時間を設定できる。待機電源３００の出力電圧が閾値電圧Ｖｔｈを超え、且つ、外付けコンデンサで設定された遅延時間Ｔｄが経過すると、電圧検知信号３２０をハイ−Ｚ状態とする。閾値電圧Ｖｔｈを下回った場合は、電圧検知信号３２０をローレベルとする。閾値電圧Ｖｔｈは、例えば、待機電源３００の定格の出力電圧（１２Ｖ）より低く且つＣＰＵ２００の動作保証電圧（３．３Ｖ）より高い電圧（例えば、８．５Ｖ）である。
【００２５】
ＡＮＤ部３０２は、電源スイッチ１０５からの出力信号１１２と電圧監視部３０１からの電圧検知信号３２０の論理積３２１を出力する。この論理積３２１は、電力制御部２０２及びＯＲ部３０３に出力される。ＡＮＤ部３０２は、ユーザにより電源スイッチ１０５がオンされると、ＯＲ部３０３を介してスイッチ３０４がオンする。また、ユーザにより電源スイッチ１０５がオフされると、ＡＮＤ部３０２は、電力制御部２０２に電源オフを通知する。ＡＮＤ部３０２は、例えば、ＡＮＤゲート素子を用いて構成してもよいし、電圧監視部３０１がオープンコレクタ出力の場合には、電源スイッチ１０５の出力と抵抗を介してパターン接続（ｗｉｒｅｄ  ＡＮＤ）してもよい。
【００２６】
ＯＲ部３０３は、ＡＮＤ部３０２からの出力３２１と電力制御部２０２からの制御信号３２２との論理和３２３を出力する。制御信号３２２は、ユーザにより電源スイッチ１０５がオフされたときに、スイッチ３０４のオン状態を維持し、電力制御部２０２に電力を供給し続けるための信号である。ＯＲ部３０３は、オープンコレクタ出力の素子を、パターン接続（ｗｉｒｅｄ  ＯＲ）してもよいし、ＯＲゲート素子を用いてもよい。
【００２７】
ＡＮＤ部３０２及びＯＲ部３０３によって構成される回路は、電源スイッチ１０５からの信号及び電圧監視部３０１からの信号が入力され、信号３２３を出力する信号出力手段として機能する。
【００２８】
スイッチ３０４は、ＯＲ部３０３の出力３２３により制御され、待機電源３００が生成した電力を電力制御部２０２等へ供給するためのスイッチである。スイッチ３０４を介して供給された電力は、不図示のＤＣＤＣコンバータによって電力制御部２０２に必要な電圧へと変換されて、電力制御部２０２に供給される。
【００２９】
電力制御部２０２は、ＣＰＵ２００と割り込み信号を含む複数の通信信号３２６で接続され、ＣＰＵ２００からの指示に基づきスイッチ３０４、３０５、３０６、３０８のオン／オフを行う。
【００３０】
スイッチ３０５は、待機電源３００が生成した電力を、ＣＰＵ２００、ＲＡＭ２０７、ＲＯＭ２０８に供給するスイッチである。スイッチ３０５は、電力制御部２０２から出力される電源制御信号３２４に従って、オンまたはオフされる。スイッチ３０６は、待機電源３００が生成した電力を、ネットワーク制御部２０７に供給するスイッチである。スイッチ３０６は、電力制御部２０２から出力される電源制御信号３２５に従って、オンまたはオフされる。スイッチ３０７は、待機電源３００が生成した電力を、ＨＤＤ２０６、画像処理部２０１、操作部２０３及びオプション部２０５に供給するスイッチである。このスイッチ３０７は、電力制御部２０２から出力される電源制御信号３２７に従って、オンまたはオフされる。
【００３１】
メイン電源３０８は、ＡＣプラグ１００を介して外部電源と接続される。メイン電源３０８は、外部電源から受けた交流電圧をＡＣ−ＤＣ変換し、２４Ｖの直流電圧を生成する。メイン電源３０８が出力した直流電圧は、メイン電源３０８に接続されている各ユニット（プリンタ部１０３、スキャナ部１０４）に供給される。言うまでもないが、メイン電源３０８が生成した２４Ｖの直流電圧は、不図示のＤＣＤＣコンバータ等により、各ユニットに適した電圧（例えば、１２Ｖ，５Ｖ，３．３Ｖ）に変換される。スイッチ１０６は、プリンタ部１０３に電力を供給するスイッチである。スイッチ１０６は、電力制御部２０２から出力される電源制御信号１０６に従って、オンまたはオフされる。また、スイッチ１０７は、スキャナ部１０４に電力を供給するスイッチである。スイッチ１０７は、電力制御部２０２から出力される電源制御信号１０７に従って、オンまたはオフされる。
【００３２】
通常電力モードでは、図３に記載の各スイッチがオンとなる。これにより、図３に記載の各ユニットに電力が供給される。
【００３３】
スリープモードでは、メイン電源３０８の出力が停止される。スリープ移行条件を満たすと、電力制御部２０２は、起動信号１１３を制御して、メイン電源３０８からの出力を停止する。メイン電源３０８からの出力が停止されると、プリンタ部１０３及びスキャナ部１０４への電力が停止される。また、スリープ移行条件を満たすと、電力制御部２０２は、電源制御信号３２７を制御して、スイッチ３０７をオフする。これにより、ＨＤＤ２０６、画像処理部２０１、操作部２０３及びオプション部２０５への電力が停止される。
【００３４】
オフモードでは、図３に記載の各ユニットへの電力が停止される。なお、オフモードであっても、待機電源３００は、電圧監視部３０１に電力を供給する。
【００３５】
＜電源制御構成ブロックの動作説明＞
図４〜６は、実施例１の各信号のタイミングチャートである。
【００３６】
図４は、ＡＣプラグ１００を外部電源に接続した状態で電源スイッチ１０５をオンしたときのタイミングチャートである。
【００３７】
ＡＣプラグ１００を外部電源に接続して、十分に時間が経過すると、待機電源３００の出力電圧が安定する。電圧監視部３０１は、待機電源３００の出力電圧が閾値電圧Ｖｔｈを超えると、検知信号３２０をハイレベルとする。検知信号３２０がハイレベルとなっている状態で、電源スイッチ１０５がオンされると、電源スイッチ１０５の出力１１２がハイレベルとなる。検知信号３２０及び出力１１２がともにハイレベルになると、ＡＮＤ部３０２の出力３２１がハイレベルとなり、ＯＲ部３０３の出力３２４もハイレベルとなる。その結果、スイッチ３０４がオンし、待機電源３００が出力した電力が電力制御部２０２に供給される。
【００３８】
電力制御部２０２へ電力が供給されると、電力制御部２０２は、電源制御信号３２４をハイレベルにして、スイッチ３０５をオンする。これにより、ＣＰＵ２００、ＲＡＭ２０７、ＲＯＭ２０８に電力が供給される。ＣＰＵ２００、ＲＡＭ２０７、ＲＯＭ２０８へ電力が供給されると、ＣＰＵ２００は、ＲＯＭ２０８に格納されているプログラムを読み込み、動作を開始する。ＣＰＵ２００は、動作を開始すると、通信信号３２６を介して、電力制御部２０２と通信する。電力制御部２０２は、ＣＰＵ２００との通信に基づいて、電源制御信号３２５をハイレベルにして、スイッチ３０６をオンし、ネットワーク制御部２０７に電力を供給する。ネットワーク制御部２０７に電力が供給されると、ＣＰＵ２００は、ネットワーク制御部２０７との通信を初期化して、ネットワーク制御部２０７との通信を開始する。その後、ＣＰＵ２００は、電源制御信号３２７をハイレベルにして、スイッチ３０７をオンする。これにより、ＨＤＤ２０６、画像処理部２０１、操作部２０３、オプション部２０５に電力が供給される。
【００３９】
さらに、電力制御部２０２は、ＣＰＵ２００との通信に基づいて、電源制御信号１１４及び１１５をハイレベルにする。電源制御信号１１４及び１１５をハイレベルにすると、スイッチ１０６及びスイッチ１０７がオンする。これにより、プリンタ部１０３、スキャナ部１０４に電力が供給される。プリンタ部１０３に電力が供給されると、プリンタ部１０３は、定着器のモータを駆動したり、ポリゴンミラーのモータを駆動したり、定着器のウォームアップを行ったりする。また、スキャナ部１０４に電力が供給されると、スキャナ部１０４は、ＣＩＳセンサのＬＥＤを点灯したり、読取ヘッドのホームポジションを決定したりする。これらが完了すると、画像形成装置１は、スタンバイ状態になる。
【００４０】
また、ＣＰＵ２００は、画像形成装置１がスタンバイ状態になるまでの間に、電力制御部２０２を介して電源制御信号３２２をハイレベルにする。
【００４１】
図５は、電源スイッチ１０５をオフしたときのタイミングチャートである。
【００４２】
画像形成装置１がスタンバイ状態のときに電源スイッチ１０５がオフされると、電源スイッチ１０５の出力１１２がローレベルとなる。したがって、ＡＮＤ部３０２の出力３２１も、ローレベルとなる。ＡＮＤ部３０２の出力３２１がローレベルとなっても、電源制御信号３２２はハイレベルで維持されているので、ＯＲ部３０３の出力３２３は、ハイレベルで維持され、スイッチ３０４はオンのままである。
【００４３】
電力制御部２０２は、ＡＮＤ部３０２の出力３２１がローレベルになると、ＣＰＵ２００通信信号３２６を介して通信する。ＣＰＵ２００は、電源スイッチ１０５のオフが通知されると、ＣＰＵ２００は、シャットダウン処理を実行する。シャットダウン処理とは、ＣＰＵ２００が実行するソフトウェア（アプリケーションソフト、ＯＳ）の終了処理、ファイルのクローズ処理等を含む。また、シャットダウン処理は、ＲＡＭ２０７の内容をＨＤＤ２０６への保存処理、ＨＤＤのキャッシュフラッシュ、ＨＤＤのヘッドの退避、画像処理部２０１が保持する画像処理に関する設定値を不揮発領域へ保存する処理を含む。操作部２０３は、シャットダウン処理中であることを表示する。また、シャットダウン処理は、オプション部による通信の終了処理を含む。
【００４４】
ＣＰＵ２００によるシャットダウン処理が開始されると、ＣＰＵ２００の指示に基づいて、プリンタ部１０３は、定着器の圧解除や１次転写部の離間等を行う。また、スキャナ部１０４は、読取ヘッドのホームポジションへの移動等する。シャットダウン処理が完了すると、電力制御部２０２は、ＣＰＵ２００の指示に基づいて、電源制御信号１１４及び１１５をローレベルにする。これにより、スイッチ１０６及びスイッチ１０７がオフになり、プリンタ部１０３及びスキャナ部１０４への電力の供給が停止される。また、電力制御部２０２は、電源制御信号３２７をローレベルへ変更し、ＨＤＤ２０６、画像処理部２０１、操作部２０３、オプション部２０５への電力を停止する。
【００４５】
また、ＣＰＵ２００は、ネットワーク制御部２０７のリセットを行い、ネットワーク制御部２０７への電力供給を遮断可能な状態にする。そして、電力制御部２０２は、電源制御信号３２５をローレベルにして、ネットワーク制御部２０７への電力を停止する。
【００４６】
ＣＰＵ２００が実行する各種処理が完了すると、電力制御部２０２は、電源制御信号３２４をローレベルにして、ＣＰＵ２００、ＲＡＭ２０７、ＲＯＭ２０８への電力の供給を停止する。さらに、電力制御部２０２は、ＡＮＤ部３０２の出力３２１のレベルを確認し、ローレベルであれば、電源制御信号３２２をローレベルにする。これにより、スイッチ３０４がオフになる。これにより、電力制御部２０２への電力が停止して、画像形成装置１がオフモードとなる。
【００４７】
図６は、待機電源３００の出力電圧が低下し、その後、出力電圧が回復したときのタイミングチャートである。
【００４８】
画像形成装置１がスタンバイ状態のときに、待機電源３００の出力電圧１１０が低下して閾値電圧Ｖｔｈを下回ると、電圧監視部３０１は、電圧検知信号３２０をローレベルにする。電圧検知信号３２０がローレベルになると、ＡＮＤ部３０２の出力３２１がローレベルとなる。電力制御部２０２は、ＡＮＤ部３０２の出力３２１がローレベルになると、ＣＰＵ２００通信信号３２６を介して通信する。ＣＰＵ２００は、電源スイッチ１０５のオフが通知されると、ＣＰＵ２００は、シャットダウン処理を実行する。ここで実行するシャットダウン処理は、電源スイッチ１０５がオフになったときに実行されるシャットダウン処理と同一である。が、完全に同一でなくてもよい。
【００４９】
その後、待機電源３００の出力電圧１１０が回復し、出力電圧１１０が閾値電圧Ｖｔｈを上回ると、電圧監視部３０１は、外付けコンデンサで設定された遅延時間Ｔｄが経過するまでローレベルを維持する。なお、出力電圧１１０が回復したかどうかを規定する閾値電圧は、出力電圧が安定したかどうかを規定する閾値電圧Ｖｔｈと異なっていても良い。
【００５０】
シャットダウン処理が完了すると、電力制御部２０２は、ＡＮＤ部３０２の出力３２１のレベルを確認し、ローレベルであれば、電源制御信号３２２をローレベルにする。これにより、スイッチ３０４をオフになる。これにより、電力制御部２０２への電力が停止して、画像形成装置１がオフモードとなる。
【００５１】
電圧監視部３０１に設定された遅延時間Ｔｄが経過すると、電圧検知信号３２０がハイレベルとなる。以降は、図４で説明した電源スイッチ１０５がオンされた場合と同様の起動シーケンスで、画像形成装置１の各部への電力が再開され、画像形成装置１がスタンバイ状態となる。
【００５２】
＜実施例１の効果＞
実施例１では、待機電源３００の出力電圧が低下したとしても、画像形成装置１のシャットダウン処理を実行することができる。これにより、ソフトウェアを適切に終了することができる。また、ＲＡＭ２０７の内容をＨＤＤ２０６へ保存すること、および、ＨＤＤのキャッシュフラッシュを実行することができるので、データの消失を防止することができる。また、画像処理に関する設定値を不揮発領域へ保存することができるので、当該設定値の消失を防止することができる。また、ＨＤＤのヘッドの退避を行うことができるので、ヘッドによるディスクへの影響を防止することができる。
【００５３】
さらに、実施例１では、待機電源３００の出力電圧が回復すると、ユーザによる電源スイッチの操作なしで、画像形成装置１を起動することができる。これにより、電源が回復したにも関わらず、しばらくの間、画像形成装置１がオフモードにままとなってしまうのを防止することができる。これにより、例えば、ＦＡＸ装置がファックスデータを受け付けることができない状態が続くのを抑制することができる。
【００５４】
［実施例２］
＜電源制御構成ブロックの説明＞
図７は、実施例２の画像形成装置の電源系統を説明するブロック図である。
【００５５】
実施例２では、実施例１のＡＮＤ部３０２に相当するＡＮＤ部７０２と、実施例１のＯＲ部３０３に相当するＯＲ部７０３と、を電力制御部７０４の内部に組み込んでいる。ＡＮＤ部７０２及びＯＲ部７０３を電力制御部７０４の内部に組み込むことによって、部品点数を削減することができる。
【００５６】
（その他の実施例）
上記した実施形態では、本発明の電子機器の一例として画像形成装置について説明したが、本発明の電子機器は、画像形成装置に限定されない。例えば、本発明の電子機器は、ノートＰＣ、タブレットＰＣ、デスクトップＰＣ、スマートフォン、自動車、空調機、遊技機、ロボットなど種々の電子機器に適用可能である。
【００５７】
本発明の目的は、前述した実施形態の機能を実現するソフトウェアのプログラムコードを記録した記録媒体を、システムあるいは装置に供給するよう構成することによっても達成される。この場合、そのシステムあるいは装置のコンピュータ（またはＣＰＵやＭＰＵ）が記録媒体に格納されたプログラムコードを読出し実行することにより、上記機能が実現されることとなる。なお、この場合、そのプログラムコードを記憶した記録媒体は本発明を構成することになる。
【００５８】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５９】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００６０】
さらに、記録媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【符号の説明】
【００６１】
１  画像形成装置
１０２  コントローラ
１０５  電源スイッチ
２００  ＣＰＵ
２０２  電力制御部
３００  待機電源
３０１  電圧監視部
【図１】
2020177302.tif 000003
【図２】
2020177302.tif 000004
【図３】
2020177302.tif 000005
【図４】
2020177302.tif 000006
【図５】
2020177302.tif 000007
【図６】
2020177302.tif 000008
【図７】
2020177302.tif 000009